(57)【要約】【課題】シンプルな構成で手軽に簡単に使用することができ、使用する車種を問わず、また、磁着可能な個所であれば使用個所を問わずに使用可能であって、取り付け個所を傷付けるおそれがなく、複数のウエットスーツ等を同時に吊下することを可能にするマグネット付きフックを提供することを課題とする。【解決手段】マグネット２と、マグネット２を覆う硬質カバー３と、硬質カバー３を嵌装保持する軟質カバー４と、先端部が軟質カバー４を通して硬質カバー３内に差し込まれ、先端部６が硬質カバー３において抜けを阻止されつつ回動可能に支持されるフック部材５とから成り、フック部材５は、先端部６を有する横杆部７と、横杆部７を延長して下方に９０度以上屈曲して形成される縦杆部８と、縦杆部８の下端を延長して上方に屈曲して形成した引掛け部９とを有する。【選択図】図１
2010240034.tif 000002
【特許請求の範囲】
【請求項１】
マグネットと、前記マグネットを覆う硬質カバーと、前記硬質カバーを嵌装保持する軟質カバーと、先端部が前記軟質カバーを通して前記硬質カバー内に差し込まれ、前記先端部が前記硬質カバーにおいて抜けを阻止されつつ回動可能に支持されるフック部材とから成り、前記フック部材は、前記先端部を有する横杆部と、前記横杆部を延長して下方に９０度以上屈曲して形成される縦杆部と、前記縦杆部の下端を延長して上方に屈曲して形成される引掛け部とを有することを特徴とするマグネット付きフック。
【請求項２】
前記軟質カバーは上面が開口された容器状のものであって、前記硬質カバーは、前記軟質カバーに装脱自在の状態にて嵌装される、請求項１に記載のマグネット付きフック。
【請求項３】
前記横杆部と前記縦杆部のなす角は、６０度から７５度の範囲内である、請求項１又は２に記載のマグネット付きフック。
【請求項４】
前記縦杆部下端と前記引掛け部下端の交点が、前記マグネットのほぼ中心位置下にくるようにされた、請求項１乃至３のいずれかに記載のマグネット付きフック。
【請求項５】
前記フック部材には、軟質チューブが被装される、請求項１乃至４のいずれかに記載のマグネット付きフック。
【請求項６】
更に、前記フック部材の引掛け部を延長して内方に折曲して形成した返し部を備える、請求項１乃至５のいずれかに記載のマグネット付きフック。
【請求項７】
前記軟質カバーは、側面視において台形状を呈する、請求項１乃至６のいずれかに記載のマグネット付きフック。
【請求項８】
前記フック部材の先端部は、該先端部に縮径部が形成されると共に、前記硬質カバーに前記縮径部を係止する係止ピンが打ち込まれることにより、前記硬質カバーにおいて抜けを阻止されつつ回動可能に支持される、請求項１乃至７のいずれかに記載のマグネット付きフック。
【発明の詳細な説明】
【技術分野】
【０００１】
本発明はマグネット付きフック、より詳細には、例えば、開口状態のハッチバック車のハッチの上縁部に取り付けて、ウエットスーツ等を吊下げる等の用途に使用するマグネット付きフックに関するものである。
【背景技術】
【０００２】
例えば、サーフィンやダイビングに際してはウエットスーツを着用するが、使用後のウエットスーツは濡れた状態のため、車内に積みこむ前に乾燥させることが多い。そして、その乾燥は、ハッチバック車等を利用している場合、そのハッチのロック部分にハンガーを吊るすことによって行うのが一般である。
【０００３】
しかるに、上記方法によった場合は、ハッチのロック部分に吊るすことができるハンガーは１つであるため、同時に複数のウエットスーツを吊るすことはできない。また、強風にあおられる等によってハッチのロック部分に高負荷がかかることにより、そのロック部分が損傷するおそれがある。
【０００４】
また、ハッチのロック部分に複数の被服を吊下げ可能にするための発明が提案されている（特許文献１：特開２００５−１６３５号公報）。これは、フックを複数備えたハンガーパイプをハッチのロック部分に吊下げ可能にするというものである。
【０００５】
しかし、この発明によった場合、多数のウエットスーツを吊下げ可能にするためにはハンガーパイプをかなり長尺にする必要があり、また、その場合はハッチのロック部分にかなりの負荷がかかることになり、ロック部分の損傷のおそれが更に増すことになる。そして、言うまでもなく、この発明の装置は、ハッチバック式ではない車両に使用することはできない。
【先行技術文献】
【特許文献】
【０００６】
【特許文献１】特開２００５−１６３５号公報
【発明の概要】
【発明が解決しようとする課題】
【０００７】
本発明は上記事情を背景になされたもので、シンプルな構成で手軽に簡単に使用することができ、使用する車種を問わず、また、磁着可能な個所であれば使用個所を問わずに使用可能であって、取り付け個所を傷付けるおそれがなく、複数のウエットスーツ等を同時に吊下することを可能にするマグネット付きフックを提供することを課題とする。
【課題を解決するための手段】
【０００８】
上記課題を解決するための請求項１に記載の発明は、マグネットと、前記マグネットを覆う硬質カバーと、前記硬質カバーを嵌装保持する軟質カバーと、先端部が前記軟質カバーを通して前記硬質カバー内に差し込まれ、前記先端部が前記硬質カバーにおいて抜けを阻止されつつ回動可能に支持されるフック部材とから成り、前記フック部材は、前記先端部を有する横杆部と、前記横杆部を延長して下方に９０度以上屈曲して形成される縦杆部と、前記縦杆部の下端を延長して上方に屈曲して形成される引掛け部とを有することを特徴とするマグネット付きフックである。
【０００９】
好ましい実施形態においては、前記軟質カバーは上面が開口された容器状のものであって、前記硬質カバーは、前記軟質カバーに装脱自在な状態にて嵌装され、また、前記横杆部と前記縦杆部のなす角は、６０度から７５度の範囲内とされ、更に、前記縦杆部下端と前記引掛け部下端の交点が、前記マグネットのほぼ中心位置下にくるようにされる。
【００１０】
また、好ましい実施形態においては、前記フック部材に軟質チューブが被装され、前記フック部材は、その引掛け部を延長して内方に折曲して形成した返し部を更に備え、また、前記軟質カバーは、側面視において台形状を呈する形状にされる。
【００１１】
更に、好ましい実施形態においては、前記フック部材の先端部は、該先端部に縮径部が形成されると共に、前記硬質カバーに前記縮径部を係止する係止ピンが打ち込まれることにより、前記硬質カバーにおいて抜けを阻止されつつ回動可能に支持される。
【発明の効果】
【００１２】
本発明に係るマグネット付きフックは、上述したように、マグネットと、前記マグネットを覆う硬質カバーと、前記硬質カバーを嵌装保持する軟質カバーと、先端部が前記軟質カバーを通して前記硬質カバー内に差し込まれ、前記先端部が前記硬質カバーにおいて抜けを阻止されつつ回動可能に支持されるフック部材とから成るものであるため、シンプルな構成で手軽に簡単に使用することができ、使用する車種を問わず、また、磁着可能な個所であれば使用個所を問わず、しかも、取り付け個所を傷付けるおそれがなく、複数のウエットスーツ等を同時に吊下することを可能にする効果のあるものである。
【００１３】
そして、前記フック部材は、前記先端部を有する横杆部と、前記横杆部から下方に９０度以上屈曲する縦杆部と、前記縦杆部の下端から上方に屈曲する引掛け部とを有し、請求項３に記載の発明においては、前記横杆部と前記縦杆部のなす角が、６０度から７５度の範囲内とされ、また、請求項４に記載の発明においては、前記縦杆部下端と前記引掛け具下端の交点が、前記マグネットのほぼ中心位置下にくるようにされるため、そして更に、フック部材が固定部に対して回動自在であるため、固定部の下面全体がハッチの端縁に密着し、以て、固定部がずれ動くことがなく、ウエットスーツ等を無理なく安定状態に吊るすことができる効果がある。
【００１４】
また、本フックは同時に多数使用することが可能で、複数のウエットスーツ等を同時に吊るすことができ、また、本フックを複数配置してカーテンを吊下げることで、簡易な更衣スペースを構成することができる効果があり、また、特に、請求項５に記載の発明においては、フック部材が軟質材でカバーされるため、使用時にハッチや車体を傷付けるおそれがないという効果があり、請求項６に記載の発明においては、返し部の作用で、ハンガー等の吊下物の脱落が一層起こりにくくなるという効果がある。
【図面の簡単な説明】
【００１５】
【図１】本発明に係るマグネット付きフックの一実施例の斜視図である。
【図２】本発明に係るマグネット付きフックの一実施例の分解斜視図である。
【図３】本発明に係るマグネット付きフックの一実施例の平面図である。
【図４】図３におけるＡ−Ａ線断面図である。
【図５】本発明に係るマグネット付きフックの使用方法を示す図である。
【発明を実施するための形態】
【００１６】
以下に、本発明を実施するための形態について、図面に依拠して説明する。図１は、本発明に係るマグネット付きフックの一実施形態の斜視図、図２はその分解斜視図、図３はその平面図、図４はその縦断面図であり、本マグネット付きフックは、各図に示されるように、マグネット２と、マグネット２を覆う硬質カバー３と、硬質カバー３を嵌装保持する軟質カバー４とから成る固定部１と、先端部６が軟質カバー４を通して硬質カバー３内に差し込まれ、その先端部６が硬質カバー３内において抜けを阻止されつつ回動可能に支持されるフック部材５とから成る。
【００１７】
マグネット２は、例えば、直径が３ｃｍほどの平坦な円形の強力永久磁石であり、その下面のみが露出するようにして、円形の硬質カバー３の凹陥部３ａ内に収納される（図４参照）。通例、硬質カバー３は、アルミニウム製又は硬質プラスチック製であるが、それに限らず、例えば、木製等であってもよい。
【００１８】
硬質カバー３を嵌装保持する軟質カバー４は、例えばシリコンゴム製又は軟質プラスチック製であって、上面が開口された容器状のもので、好ましくは、側面視において台形状の末広がり状態を呈するものとされる。そのような形状とすることにより、ハッチ２０端縁部に対する固定部１底面の接触面積を増大させることができ、以て、固定部１のハッチ２０端縁部に対する固定状態を、一層強固且つ安定したものにすることができる。
【００１９】
好ましくは、硬質カバー3は、装脱自在の状態にて軟質カバー４に嵌装される。そのように装脱自在にすることにより、両カバー３、４間に進入してマグネット２に吸着される可能性のある砂鉄等の吸着物や、塵埃を取り除くことが容易となる。
【００２０】
フック部材５は、先端部６を有する横杆部７と、横杆部７の端部を延長して下方に９０度以上屈曲して成る縦杆部８と、縦杆部８の下端部を延長して上方に適宜角度に屈曲して成る引掛け部９とを含んで構成される。更に必要に応じ、吊下物が一層脱落し難くなるように、引掛け部９の先端を内側に曲げて、返し部１０が形成される。なお、通例、縦杆部８の長さは、ハッチ２０の一般的厚さ寸法よりも少し長めにされる。
【００２１】
横杆部７と縦杆部８のなす角は９０度以上とされるが、好ましくは、６０度から７５度の範囲内とされる（図４参照）。かくすることにより、引掛け部９と縦杆部８の交点である折曲部１１が、マグネット２のほぼ中心位置下にくる。このような構成とすることで、固定部１の下面全体がハッチ２０の端縁にほぼ均一に密着し、以て、固定部１が一層ずれ動きにくいものとなる。
【００２２】
通例、フック部材５には、その全長に亘ってシリコンゴム等の軟質チューブ１２が被装され、使用時にハッチ２０等を傷付けることがないよう配慮される。また、軟質カバー４も、これと同様の役割を果たす。
【００２３】
上記のとおり、フック部材５の先端部６は、軟質カバー４を通して硬質カバー３内に差し込まれて、硬質カバー３内において回動可能に支持される。即ち、軟質カバー４の周壁に、先端部６を挿通するための挿通口１３が貫設され、また、硬質カバー３に、挿通口１３に連通して先端部６を挿入する支持孔１４が穿設される。そして、先端部６の支持孔１４内に進入する部分に縮径部１５が形成され、硬質カバー３の周壁に、支持孔１４の長さ方向に直交するように係止ピン１６が打ち込まれる。この係止ピン１６の打ち込みは、先端部６を支持孔１４内に挿入した後、支持孔１４の中心軸から少しずらして、縮径部１５に向けて行われる（図３参照）。
【００２４】
係止ピン１６は、このように先端部６を支持孔１４内に挿入した後、縮径部１５に向けて打ち込まれることにより、縮径部１５に係合する。その結果先端部６は、支持孔１４から抜けることが阻止されると共に、その位置において回転可能に支持されることになる。なお、先端部６の抜けを防止しつつ回転可能に支持する構成は、これに限られる訳ではなく、例えば、先端部６を硬質カバー３の周壁にねじ込む方法、その他既知の種々の方法を採用し得ることは言うまでもない。
【００２５】
本発明に係るマグネット付きフックは、例えば、図４（Ａ）に示すように、上方開口式のハッチ２０を有する各種車両において、該ハッチ２０を開放した状態でハッチ２０上面の縁部の任意の箇所に、所望数磁着させ、ハンガー２１をフック部材５に引っ掛け、それにウェットスーツ２２等を掛ける。勿論ハッチバック車に限らず、他の一般的車両についても、適宜個所に磁着させて用いることができる。
【００２６】
また、海水浴時等における使用方法として、本マグネット付きフックをハッチ２０の縁辺に沿って複数配置し、上縁にリング等の引掛け具を取り付けたカーテンを吊下げて、簡易な更衣スペースを形成することが考えられる。
【００２７】
上記各使用方法において、固定部１を磁着させるハッチ２０の縁部は必ずしも平坦とは限らないが、例えば、直径３センチメートル程のマグネット２でも十分な吸着力が得られるため、何ら差し支えはない。このように本発明に係るマグネット付きフックは、その固定部１を単に開いた状態のハッチ２０端縁の任意の個所に置くだけで、そのマグネット２の強力な磁力により確固と固定配置でき、即座にそのフック部材５にハンガー２１を掛ける等してウエットスーツ２２等を吊るすことができるものである。
【００２８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２９】
１    固定部
２    マグネット
３    硬質カバー
４    軟質カバー
５    フック部材
６    先端部
７    横杆部
８    縦杆部
９    引掛け部
１０    返し部
１１    折曲部
１３    挿通孔
１４    支持孔
１５    縮径部
１６    係止ピン
２０    ハッチ
【図１】
2010240034.tif 000003
【図２】
2010240034.tif 000004
【図３】
2010240034.tif 000005
【図４】
2010240034.tif 000006
【図５】
2010240034.tif 000007
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
マグネットと、前記マグネットをその下面を残して覆う硬質カバーと、上面が開口された容器形状を呈していて、前記マグネットを覆った状態の硬質カバーを前記上面開口から嵌装して保持する軟質カバーと、先端部が前記軟質カバーを通して前記硬質カバーの側面内に差し込まれ、前記先端部が前記硬質カバーの側面において抜けを阻止されつつ回動可能に支持されるフック部材とから成り、
前記フック部材は、前記先端部を有する横杆部と、前記横杆部を延長して前記横杆部との間の角度が９０度以下となるように下方に屈曲して形成される縦杆部と、前記縦杆部の下端を上方に屈曲延長して形成される引掛け部とを有し、前記硬質カバーは、前記軟質カバーに装脱自在の状態にて嵌装されることを特徴とするマグネット付きフック。
【請求項２】
前記横杆部と前記縦杆部との間の角度は、６０度から７５度の範囲内である、請求項１に記載のマグネット付きフック。
【請求項３】
前記縦杆部下端と前記引掛け部下端の交点が、前記マグネットのほぼ中心位置下にくるようにされた、請求項１又は2に記載のマグネット付きフック。
【請求項４】
前記フック部材には、軟質チューブが被装される、請求項１乃至３のいずれかに記載のマグネット付きフック。
【請求項５】
更に、前記フック部材の引掛け部を延長して内方に折曲して形成した返し部を備える、請求項１乃至４のいずれかに記載のマグネット付きフック。
【請求項６】
前記軟質カバーは、側面視において台形状を呈する、請求項１乃至５のいずれかに記載のマグネット付きフック。
【請求項７】
前記フック部材の先端部は、該先端部に縮径部が形成されると共に、前記硬質カバーに前記縮径部を係止する係止ピンが打ち込まれることにより、前記硬質カバーにおいて抜けを阻止されつつ回動可能に支持される、請求項１乃至６のいずれかに記載のマグネット付きフック。
【手続補正２】
【補正対象書類名】明細書
【補正対象項目名】０００８
【補正方法】変更
【補正の内容】
【０００８】
上記課題を解決するための請求項１に記載の発明は、マグネットと、前記マグネットをその下面を残して覆う硬質カバーと、上面が開口された容器形状を呈していて、前記マグネットを覆った状態の硬質カバーを前記上面開口から嵌装して保持する軟質カバーと、先端部が前記軟質カバーを通して前記硬質カバーの側面内に差し込まれ、前記先端部が前記硬質カバーの側面において抜けを阻止されつつ回動可能に支持されるフック部材とから成り、
前記フック部材は、前記先端部を有する横杆部と、前記横杆部を延長して前記横杆部との間の角度が９０度以下となるように下方に屈曲して形成される縦杆部と、前記縦杆部の下端を上方に屈曲延長して形成される引掛け部とを有し、前記硬質カバーは、前記軟質カバーに装脱自在の状態にて嵌装されることを特徴とするマグネット付きフックである。
【手続補正３】
【補正対象書類名】明細書
【補正対象項目名】０００９
【補正方法】変更
【補正の内容】
【０００９】
好ましい実施形態においては、前記横杆部と前記縦杆部のなす角は、６０度から７５度の範囲内とされ、更に、前記縦杆部下端と前記引掛け部下端の交点が、前記マグネットのほぼ中心位置下にくるようにされる。
【手続補正４】
【補正対象書類名】明細書
【補正対象項目名】００２１
【補正方法】変更
【補正の内容】
【００２１】
横杆部７と縦杆部８のなす角は９０度以下とされるが、好ましくは、６０度から７５度の範囲内とされる（図４参照）。かくすることにより、引掛け部９と縦杆部８の交点である折曲部１１が、マグネット２のほぼ中心位置下にくる。このような構成とすることで、固定部１の下面全体がハッチ２０の端縁にほぼ均一に密着し、以て、固定部１が一層ずれ動きにくいものとなる。
【手続補正５】
【補正対象書類名】明細書
【補正対象項目名】００２５
【補正方法】変更
【補正の内容】
【００２５】
本発明に係るマグネット付きフックは、例えば、図５（Ａ）に示すように、上方開口式のハッチ２０を有する各種車両において、該ハッチ２０を開放した状態でハッチ２０上面の縁部の任意の箇所に、所望数磁着させ、ハンガー２１をフック部材５に引っ掛け、それにウェットスーツ２２等を掛ける。勿論ハッチバック車に限らず、他の一般的車両についても、適宜個所に磁着させて用いることができる。